(57)【要約】【課題】本発明はフレキシブルプリント配線板用コネクタ装置に関し、接続操作の操作性の向上を図ることを課題とする。【解決手段】ハウジング５１に組み込んであるコンタクト部材６０と、アクチュエータ８０とを有する。アクチュエータ８０は、ハウジング５１の開口に対応する大きさの板状のものであり、上面に凹凸面８１ａよりなる操作部８１を有する。アクチュエータ８０をスライドさせてフレキシブルプリント配線板を接続するときには、指先を広い操作部８１に押し当てて操作する。【選択図】　　　　図２
2004039481.tif 000002
【特許請求の範囲】
【請求項１】
上面が開口であるハウジングと、
上側腕部とコンタクト部とを有し、該上側腕部とコンタクト部との間隔が接続されるフレキシブルプリント配線板の厚さよりも広くあいており、上記のハウジングに設けてあるコンタクト部材と、
上面に操作部、下面にカム部を有し、摺動可能に設けてあるアクチュエータとよりなり、
該アクチュエータが摺動操作されて、カム部が上側腕部とコンタクト部との間に入り込んで、該コンタクト部と該カム部との間隔をフレキシブルプリント配線板の厚さよりも狭くして上記カム部とコンタクト部とが挿入されたフレキシブルプリント配線板を挟むと共に、上記操作部がハウジングの上面の開口を塞ぐ構成としたことを特徴とするフレキシブルプリント配線板用コネクタ装置。
【請求項２】
請求項１記載のフレキシブルプリント配線板用コネクタ装置において、
上記アクチュエータの上面の操作部は、凹凸面を有する構成としたことを特徴とするフレキシブルプリント配線板用コネクタ装置。
【請求項３】
請求項１記載のフレキシブルプリント配線板用コネクタ装置において、
上記アクチュエータが最終位置まで移動されたときに、クリック的に係合して衝撃を発生するクリック係合機構を更に有する構成としたことを特徴とするフレキシブルプリント配線板用コネクタ装置。
【請求項４】
コンタクト部材が組み込んであるハウジング内にアクチュエータが押し込まれてフレキシブルプリント配線板を挟んで接続するフレキシブルプリント配線板用コネクタ装置において、
上記アクチュエータが最終位置まで押し込まれたときにクリック的に係合して衝撃を発生するクリック係合機構を、上記ハウジングの内部に設けた構成としたことを特徴とするフレキシブルプリント配線板用コネクタ装置。
【請求項５】
請求項４記載のフレキシブルプリント配線板用コネクタ装置において、
該クリック係合機構は、アクチュエータの上面の一部とコンタクト部材の一部とによって構成してあることを特徴とするフレキシブルプリント配線板用コネクタ装置。
【請求項６】
請求項４記載のフレキシブルプリント配線板用コネクタ装置において、
該クリック係合機構は、アクチュエータの上面の一部とハウジングのストッパの一部とによって構成してあることを特徴とするフレキシブルプリント配線板用コネクタ装置。
【請求項７】
請求項４記載のフレキシブルプリント配線板用コネクタ装置において、
該クリック係合機構は、アクチュエータの両側の面の一部とハウジングの一部とによって構成してあることを特徴とするフレキシブルプリント配線板用コネクタ装置。
【請求項８】
請求項４記載のフレキシブルプリント配線板用コネクタ装置において、
該クリック係合機構は、アクチュエータの両側より突き出ている金属製のロッドと、ハウジングに固定してある金属製の部材とによって構成してあることを特徴とするフレキシブルプリント配線板用コネクタ装置。
【発明の詳細な説明】
【０００１】
【発明の属する技術分野】
本発明はフレキシブルプリント配線板用コネクタ装置に係り、携帯電話機、デジタルカメラ等の電子機器の内部に使用されるフレキシブルプリント配線板用コネクタ装置に関する。
【０００２】
【従来の技術】
図１（Ａ）、（Ｂ）は従来のフレキシブルプリント配線板用コネクタ装置１０を示す。Ｘ１−Ｘ２は幅方向、Ｙ１はフレキシブルプリント配線板を挿入する方向、Ｙ２はフレキシブルプリント配線板を引き抜く方向である。Ｚ１−Ｚ２は高さ方向である。コネクタ装置１０は、ハウジング１１と、ハウジング１１内に並んで組み込んであるコンタクト部材２０と、スライド操作されるアクチュエータ３０とを有する。コンタクト部材２０は、上側の顎部２１と下側のコンタクト部２２とを有する。アクチュエータ３０は、カム部３１を有し、且つ、Ｘ１、Ｘ２側に操作部３２、３３を有する。
【０００３】
アクチュエータ３０がＹ２方向へ移動されている状態で、フレキシブルプリント配線板（ＦＰＣ）４０をハウジング１１内に挿入して、Ｘ１、Ｘ２側の操作部３２、３３を手の指先で挟んでアクチュエータ３０をＹ１方向に押し込む操作をする。これによってフレキシブルプリント配線板４０は、コンタクト部２２とカム部３１との間に挟まれ、フレキシブルプリント配線板４０がコネクタ装置１０に接続される。
【０００４】
【発明が解決しようとする課題】
この構成のフレキシブルプリント配線板用コネクタ装置１０は以下の問題があった。
【０００５】
▲１▼　コネクタ装置１０が小型になると、操作部３２、３３のサイズが相当に小さくなってこれに手の指先をあてて操作することが難しくなり、操作性がよくなかった。
【０００６】
▲２▼　側面側の操作部３２、３３に指先をあてて操作するため、コネクタ装置１０をプリント基板に実装した場合に、コネクタ装置１０の側方には操作のためのスペースを設けておく必要がある。よって、プリント基板のうちコネクタ装置１０が実装される場所の直ぐ横側には側電子部品を搭載することが制限されてしまい、好ましくない。
【０００７】
▲３▼　接続されたフレキシブルプリント配線板４０より上側には、カム部３１、上側顎部２１、及びハウジング１１の上板部１２とが重なっており、コネクタ装置１０は高さｈ１を有しており、低くすることが難しかった。
【０００８】
そこで、本発明は、上記課題を解決したフレキシブルプリント配線板用コネクタ装置を提供することを目的とする。
【０００９】
【課題を解決するための手段】
請求項１の発明は、上面が開口であるハウジングと、
上側腕部とコンタクト部とを有し、該上側腕部とコンタクト部との間隔が接続されるフレキシブルプリント配線板の厚さよりも広くあいており、上記のハウジングに設けてあるコンタクト部材と、
上面に操作部、下面にカム部を有し、摺動可能に設けてあるアクチュエータとよりなり、
該アクチュエータが摺動操作されて、カム部が上側腕部とコンタクト部との間に入り込んで、該コンタクト部と該カム部との間隔をフレキシブルプリント配線板の厚さよりも狭くして上記カム部とコンタクト部とが挿入されたフレキシブルプリント配線板を挟むと共に、上記操作部がハウジングの上面の開口を塞ぐ構成としたものである。
【００１０】
操作部がアクチュエータの上面にある構成は、操作部が側面側に配置されている構成に比べて、面積を大きくとることが可能となり、アクチュエータの操作がしやすくなる。また、コネクタ装置が実装されたプリント基板についてみると、コネクタ装置の側方の近くまで電子部品を実装することが可能となる。また、アクチュエータはコンタクト部材の上側腕部に支持されているため、操作された状態でアクチュエータがハウジングの上板部を構成することが可能となり、コネクタ装置は低背化が可能となる。
【００１１】
請求項２の発明は、請求項１記載のフレキシブルプリント配線板用コネクタ装置において、
上記アクチュエータの上面の操作部は、凹凸面を有する構成としたものである。
【００１２】
凹凸面は指先を滑りにくくする。
【００１３】
請求項３の発明は、請求項１記載のフレキシブルプリント配線板用コネクタ装置において、
上記アクチュエータが最終位置まで移動されたときに、クリック的に係合して衝撃を発生するクリック係合機構を更に有する構成としたものである。
【００１４】
アクチュエータを最終位置まで操作したことを認識することが可能となる。
【００１５】
請求項４の発明は、コンタクト部材が組み込んであるハウジング内にアクチュエータが押し込まれてフレキシブルプリント配線板を挟んで接続するフレキシブルプリント配線板用コネクタ装置において、
上記アクチュエータが最終位置まで押し込まれたときにクリック的に係合して衝撃を発生するクリック係合機構を、上記ハウジングの内部に設けた構成としたものである。
【００１６】
クリック係合機構がハウジングの内部に配置してあるため、コネクタ装置を小型に出来る。
【００１７】
請求項５の発明は、請求項４記載のフレキシブルプリント配線板用コネクタ装置において、
該クリック係合機構は、アクチュエータの上面の一部とコンタクト部材の一部とによって構成してあるようにしたものである。
【００１８】
請求項６の発明は、請求項４記載のフレキシブルプリント配線板用コネクタ装置において、
該クリック係合機構は、アクチュエータの上面の一部とハウジングのストッパの一部とによって構成してあるようにしたものである。
【００１９】
請求項７の発明は、請求項４記載のフレキシブルプリント配線板用コネクタ装置において、
該クリック係合機構は、アクチュエータの両側の面の一部とハウジングの一部とによって構成してあるようにしたものである。
【００２０】
請求項８の発明は、請求項４記載のフレキシブルプリント配線板用コネクタ装置において、
該クリック係合機構は、アクチュエータの両側より突き出ている金属製のロッドと、ハウジングに固定してある金属製の部材とによって構成してあるようにしたものである。
【００２１】
衝撃音も発生し、アクチュエータが最終位置まで操作されたことを、指先の他に、耳でも認識することが可能となる。
【００２２】
【発明の実施の形態】
各図中、Ｘ１−Ｘ２は幅方向、Ｙ１はフレキシブルプリント配線板を挿入する方向、Ｙ２はフレキシブルプリント配線板を引き抜く方向である。Ｚ１−Ｚ２は高さ方向である。
【００２３】
［第１実施例］
図２及び図３は本発明の第１実施例のフレキシブルプリント配線板用コネクタ装置５０を示す。コネクタ装置５０は、下側にコンタクト部を有する下コンタクトタイプであって、アクチュエータを操作することによって接触圧力をうる加圧タイプであって、且つ、ハウジングの幅方向の範囲内でアクチュエータ操作時のクリック感を得るタイプであり、絶縁材料製のハウジング５１と、ハウジング５１内にＸ１−Ｘ２方向に並んで組み込んである複数のコンタクト部材７０と、スライド操作されるアクチュエータ８０とを有する。
【００２４】
ハウジング５１は、上板部を有していず上面が開口５７である偏平の箱形状であり、底板部５２、側板部５３、５４、背面壁部５５を有し、Ｙ２方向端側にフレキシブルプリント配線板挿入口５６を有する。５８は背面壁５５の一部であり、ストッパである。この上面の開口５７は、後述するようにアクチュエータ８０によって塞がれる。側板部５３、５４の上端面のＹ１側の部位に、アクチュエータ８０をクリック的にロックするための突起５９、６０が形成してある。
【００２５】
コンタクト部材７０は、図３に示すように、上側腕部７１と下側コンタクト腕部７２とがＹ１方向に延びてＵ字形状をなし、且つ、Ｕ字形状の基の部分からＹ２方向に外部端子部７３が延びている形状である。上側腕部７１は、Ｙ１方向に真っ直ぐに延びており、アクチュエータ８０を支持すると共に案内する。下側コンタクト腕部７２はＺ１方向へ曲がっており、底板部５２から浮いており、Ｚ２方向へ弾性的に撓むことが可能である。下側コンタクト腕部７２の先端のコンタクト部７２ａとの間隔ａは、フレキシブルプリント配線板４０の厚さｔ１０よりも十分に大きい。
【００２６】
アクチュエータ８０は、ハウジング５１の開口５７に対応する大きさの板状のものであり、上面に操作部８１を有し、下面にカム部８２を有し、且つ、内部に、Ｙ２側からＹ１方向に向かって、Ｘ１−Ｘ２方向に並んでいる上側腕部７１が嵌合するスリット８３が形成してある構成である。このアクチュエータ８０は、スリット８３を上側腕部７１に嵌合されて上側腕部７１に支持されており、Ｙ１−Ｙ２方向に摺動可能である。
【００２７】
操作部８１は、アクチュエータ８０の上面に形成されているため面積が広く、且つ、ギザギザの凹凸面８１ａとなっているため、指先が滑りにくく操作がし易い。
【００２８】
カム部８２は、Ｙ１からＹ２方向に移るにつれてＺ２方向に傾斜した形状を有する。図６（Ａ）に示すようにＹ２方向に移動された状態で、カム部８２とコンタクト部７２ａとの間隔ｂは、フレキシブルプリント配線板４０の厚さｔ１０より僅かに大きい。図３に示すようにＹ１方向に移動された状態で、カム部８２とコンタクト部７２ａとの間隔ｃは、フレキシブルプリント配線板４０の厚さｔ１０より小さい。
【００２９】
なお、アクチュエータ８０は、ハウジング５１に対しては、図４に示すように、カム部８２の先端よりＸ１−Ｘ２方向に突き出ている突き出し部８４が側板部５３、５４の長孔５３ａに嵌合して、且つ、Ｚ２側から差し込んで固定してある実装のための金具８５によってＹ１方向への抜け出しを制限される状態にある。また、アクチュエータ８０の上面側のＸ１−Ｘ２方向に張り出ている張出し部分８６，８７が側板部５３、５４の上端面に載っている。この張出し部分８６，８７のＹ２方向端側に、突起５９、６０に係合する凹部８８が形成してある。張出し部分８６，８７が側板部５３、５４の上端面に載っているため、アクチュエータ８０をＺ２方向に強く押した場合でも、この力は側板部５３、５４によって受け止められ、コンタクト部材７０の上側腕部７１が曲がってしまう不都合は起きない。
【００３０】
また、８７は、傾斜面であり、アクチュエータ８０のＹ２端のカム部８２側に形成してある。底板部５２のＹ２端も傾斜面５２ａとなっている。傾斜面８７及び傾斜面５２ａはテーパ状となっており、接続されてコネクタ装置５０から出ている部分のフレキシブルプリント配線板４０が引き回された場合に、フレキシブルプリント配線板４０が傷まないようにしてある。
【００３１】
フレキシブルプリント配線板４０を接続する操作は、次のように行う。図２（Ａ）及び図３に示す状態から、アクチュエータ８０をＹ２方向に引き出して図５（Ａ）及び図６（Ａ）に示す状態とし、フレキシブルプリント配線板４０を図５（Ｂ）及び図６（Ｂ）に示すようにコネクタ装置５０内にストッパ５８に当たる位置まで挿入し、最後に、指先を操作部８１に押し付けてＹ１方向に図５（Ｃ）及び図６（Ｃ）に示すように最終位置までずらす。
【００３２】
図６（Ａ）に示すようにアクチュエータ８０がＹ２方向に引き出された状態で、カム部８２とコンタクト部７２ａとの間隔ｂはフレキシブルプリント配線板４０の厚さｔ１０より僅かに大きくなり、フレキシブルプリント配線板４０は図６（Ｂ）に示すようにコネクタ装置５０内に円滑に挿入される。
【００３３】
アクチュエータ８０が図５（Ｃ）及び図６（Ｃ）に示すように最終位置にまで移動されると、フレキシブルプリント配線板４０はカム部８２とコンタクト部７２ａとの間に挟まれ、下側コンタクト腕部７２が撓まされ、コンタクト部７２ａはコンタクト腕部７２に発生している弾性力によって端子パターン４１に所定の接触圧力Ｆ１０で押し当たった状態とされ、フレキシブルプリント配線板４０がコネクタ装置５０に接続される。
【００３４】
ここで、操作部８１は面積が広く且つギザギザ部８１ａが形成してあるため、アクチュエータ８０をＹ２方向に動かす操作はし易い。また、操作部８１がアクチュエータ８０の上面に形成されているため、指先はコネクタ装置５０の上面側にあってコネクタ装置５０の両側に張り出さず、電子部品はプリント基板上コネクタ装置５０の両側に接近した位置にまで実装することが可能である。
【００３５】
またアクチュエータ８０をＹ１方向に最終位置までずらしたときに、凹部８６が突起５９に係合する。よって、凹部８８が突起５９に係合したときのクリック的衝撃を指先が感じることによって、操作者はアクチュエータ８０を最終位置まで操作したことを認識することが可能となり、アクチュエータ８０の操作が中途半端となることが防止される。また、凹部８８が突起５９に係合していることによって、アクチュエータ８０はクリック的にロックされて、不用意にＹ２方向に移動してしまうことが防止される。
【００３６】
また、Ｙ１方向に最終位置まで移動されたアクチュエータ８０は、図５（Ｃ）及び図６（Ｃ）に示すようにハウジング５１の本来的には上板部が存在する場所に到って、ハウジング５１の上面の開口５７を塞いでハウジング５１の上板部を構成する。よって、アクチュエータ８０はハウジング５１の高さ範囲内に収まり、コネクタ装置５０の高さｈ１０は、ハウジング５１の高さに対応し、コネクタ装置５０は低背の構造である。
【００３７】
なお、アクチュエータ８０をＹ２方向に引くことによって、フレキシブルプリント配線板４０の接続が解除される。
【００３８】
次に別の実施例について説明する。
【００３９】
第２乃至第６実施例は、下側にコンタクト部を有する下コンタクトタイプであって、アクチュエータを操作することによって接触圧力をうる加圧タイプであって、アクチュエータ操作時にクリック感をうるタイプである。特に、クリック感を発生する場所がハウジングの内部であるようにした構成である。
【００４０】
第２、第３実施例は、アクチュエータの上面側を利用した構成、第４、第５、第６実施例は、アクチュエータの左右側を利用した構成である。
【００４１】
［第２実施例］
図７及び図８は本発明の第２実施例のフレキシブルプリント配線板用コネクタ装置５０Ａを示す。コネクタ装置５０Ａは、ハウジング５１Ａと、コンタクト部材７０Ａと、スライド操作されるアクチュエータ８０Ａとを有し、アクチュエータ８０Ａを操作したときのクリック感をアクチュエータ８０Ａの上面部とコンタクト部材７０Ａとの間のクリック的な嵌合によって得る構成である。アクチュエータ８０Ａは、両側のフック腕部９０がハウジング５１Ａに固定してある実装金具９１に係止されて脱落を防止されている。アクチュエータ８０Ａは上面のＹ１側に溝部９４を有し、コンタクト部材７０Ａは上側腕部７１に凸部９５を有する。
【００４２】
アクチュエータ８０ＡがＹ２側の操作部９２を押されて図９（Ａ）、（Ｂ）に示すようにＹ１方向に移動されることによって、フレキシブルプリント配線板４０はカム部９３とコンタクト部７２ａとの間に挟まれてコネクタ装置５０に接続される。
【００４３】
アクチュエータ８０Ａが所定の位置まで操作されたことは、図９（Ｂ）に示すように、アクチュエータ８０ＡのＹ１方向の先端部分がコンタクト部材７０Ａの凸部９５を乗り越えて、アクチュエータ８０Ａの溝部９４が凸部９５にクリック的に嵌合したときの衝撃を指先が感じることによって認識される。
【００４４】
また、図９（Ｃ）に示すように、上記とは逆に、アクチュエータ８０Ａ１に凸部８０Ａ１ａ、コンタクト部材７０Ａ１に凹部７０Ａ１ａを有する構成としてもよい。
【００４５】
［第３実施例］
図１０は本発明の第３実施例のフレキシブルプリント配線板用コネクタ装置５０Ｂを分解して示す。コネクタ装置５０Ｂは、ハウジング５１Ｂと、コンタクト部材７０Ｂと、スライド操作されるアクチュエータ８０Ｂとを有し、アクチュエータ８０Ｂを操作したときのクリック感をアクチュエータ８０Ｂの上面部とハウジング５１Ｂとの間のクリック的な嵌合によって得る構成である。アクチュエータ８０Ｂは上面のＹ１側に突条部１００を有し、ハウジング５１Ｂはストッパ５８に溝部１０１を有する。
【００４６】
アクチュエータ８０Ｂが押されて図１１（Ａ）、（Ｂ）に示すようにＹ１方向に移動されることによって、フレキシブルプリント配線板４０はカム部８２とコンタクト部７２ａとの間に挟まれてコネクタ装置５０Ａに接続される。
【００４７】
アクチュエータ８０Ａが所定の位置まで操作されたことは、図１１（Ｂ）に示すように、突条部１００が溝部１０１にクリック的に嵌合したときの衝撃を指先が感じることによって認識される。
【００４８】
［第４実施例］
図１２は本発明の第４実施例のフレキシブルプリント配線板用コネクタ装置５０Ｃを示す。コネクタ装置５０Ｃは、ハウジング５１Ｃと、コンタクト部材７０Ｃと、スライド操作されるアクチュエータ８０Ｃとを有し、アクチュエータ８０Ｃを操作したときのクリック感をアクチュエータ８０ＣのＸ１−Ｘ２側の部分とハウジング５１Ｂとの間のクリック的な嵌合によって得る構成である。アクチュエータ８０ＣはＸ１、Ｘ２側にフック腕部１１０、１１１を有する。フック腕部１１０、１１１は先端にフック１１０ａ、１１１ａを有する。ハウジング５１Ｃの側板部５４の内面側に、脱落防止用開口１１２と、クリックロック用の突起部１１３及び凹部１１４が形成してある。
【００４９】
アクチュエータ８０Ｃが図１３（Ａ）に示すようにＹ２方向に引き出されている状態で、フレキシブルプリント配線板をハウジング５１Ｃ内に挿入し、アクチュエータ８０Ｃを図１３（Ｂ）に示すようにＹ１方向に挿入することによってフレキシブルプリント配線板がコネクタ装置５０Ｃに接続される。
【００５０】
アクチュエータ８０Ｃが所定の位置まで操作されたことは、フック１１１ａが突起部１１３を乗り越えて凹部１１４にクリック的にしたときの衝撃を指先が感じることによって認識される。
【００５１】
［第５実施例］
図１４（Ａ）は本発明の第５実施例のフレキシブルプリント配線板用コネクタ装置５０Ｄを示す。コネクタ装置５０Ｄは、ハウジング５１Ｄと、コンタクト部材７０Ｄと、スライド操作されるアクチュエータ８０Ｄとを有し、アクチュエータ８０Ｄを操作したときのクリック感をアクチュエータ８０ＤのＸ１−Ｘ２側の部分で金属部品同士のクリック的な嵌合によって得る構成である。
【００５２】
アクチュエータ８０Ｄは、インサート成形されており、Ｘ１、Ｘ２側に突き出している金属ロッド１２０を有する。ハウジング５１Ｄの側板部５３、５４の内面側に、金属板製の実装補強金具１２１，１２２が固定してある。実装補強金具１２１、１２２は、脱落防止部１２１ａとクリックロック用の突起部１２１ｂとを有する。
【００５３】
アクチュエータ８０ＤがＹ２方向に引き出されている状態で、フレキシブルプリント配線板をハウジング５１Ｄ内に挿入し、アクチュエータ８０ＤをＹ１方向に挿入することによって、フレキシブルプリント配線板がコネクタ装置５０Ｄに接続される。
【００５４】
アクチュエータ８０Ｄが所定の位置まで操作されたことは、図１４（Ｂ）に示すように、金属ロッド１２０が突起部１２１ｂを乗り越えたときのクリック的な衝撃を指先が感じることによって認識される。また、ロッド１２０と突起部１２１ｂとは共に金属製であるので、ロッド１２０が突起部１２１ｂを乗り越えたときにカチッという音も発生して、耳でも操作されたことを認識することが出来る。
【００５５】
図１５は上記のアクチュエータ８０Ｄの金属ロッド１２０を利用したクリック的な衝撃を得るための別の例を示す。
【００５６】
図１５（Ａ），（Ｂ）は、Ｃ字形状部１３２を有する実装補強金具１３１を使用した構造である。金属ロッド１２０がＣ字形状部１３２の狭い入り口部１３３を通るときにクリック的な衝撃が得られる。
【００５７】
図１５（Ｃ）は、Ｃ字形状部１３５及び凹部１３６を有する実装補強金具１３４を使用した構造である。金属ロッド１２０がＣ字形状部１３５の狭い入り口部１３７を通るときにクリック的な衝撃が得られる。また、アクチュエータ８０Ｄ１のフック腕１３８のフック１３９が凹部１３６に嵌合してあり、アクチュエータ８０Ｄ１は脱落を防止された状態で所定範囲内でＹ１−Ｙ２方向に移動可能である。
【００５８】
図１５（Ｄ），（Ｅ）は、ハウジング５１Ｄ１の側板部に形成してあるスリット部１４０を利用した構造である。スリット部１４０には、狭い部分１４１を有する。アクチュエータは実装補強金具１４２によって脱落を防止されている。金属ロッド１２０が狭い部分１４１を通るときにクリック的な衝撃が得られる。
【００５９】
［第６実施例］
図１６は本発明の第６実施例のフレキシブルプリント配線板用コネクタ装置５０Ｅを示す。コネクタ装置５０Ｅは、ハウジング５１Ｅと、コンタクト部材７０Ｅと、スライド操作されるアクチュエータ８０Ｅとを有し、アクチュエータ８０Ｅを操作したときのクリック感を得る構造は、図１２に示すフレキシブルプリント配線板用コネクタ装置５０Ｃとは逆の構造である。
【００６０】
アクチュエータ８０Ｅは、Ｘ１、Ｘ２側の縁に、脱落防止用凹部１５０及びクリックロック用凹部１５１を有する。ハウジング５１Ｅには、側板部５４の一部を利用して、Ｙ２方向に延びているフック腕１５３が形成してある。
【００６１】
アクチュエータ８０Ｅが図１７（Ａ）に示すように脱落防止用凹部１５０がフック１５３ａと係合されるまでＹ２方向に引き出されている状態で、フレキシブルプリント配線板をハウジング５１Ｅ内に挿入し、アクチュエータ８０ＥをＹ１方向に図１７（Ｂ）に示す所定の位置まで挿入することによって、フレキシブルプリント配線板がコネクタ装置５０Ｅに接続される。
【００６２】
アクチュエータ８０Ｅが所定の位置まで操作されたことは、図１７（Ｂ）に示すように、脱落防止用凹部１５０から押し出されたフック１５３ａがクリックロック用凹部１５１に係合したときのクリック的な衝撃を指先が感じることによって認識される。
【００６３】
また、アクチュエータ８０Ｅが所定の位置まで操作されたときのクリック的な衝撃は、図１８に示す構成によっても得ることが可能である。図１８（Ａ）に示すアクチュエータ８０Ｅ１は、Ｘ１、Ｘ２側の縁に、突き出して脱落防止用爪部１６０及びクリックロック用爪部１６１を有する構成である。また、ハウジングは、図１６に示すハウジング５１Ｅからフック腕１５３を取り除いた形状のハウジングに、図１８（Ｂ）、（Ｃ）、（Ｄ）に示す実装補強金具１７０，１８０、１９０の何れかを固定した構成である。図１８（Ｂ）に示す実装補強金具１７０は、腕部１７１にフック部１７２を有する。図１８（Ｃ）に示す実装補強金具１８０は、ハウジングの内部に突き出した半球凸部１８１を有する。図１８（Ｄ）に示す実装補強金具１９０は、ハウジングの内側から見て凹状である半球凹部１９１を有する。フック部１７２、半球凸部１８１、半球凹部１９１はプレス加工によって成形される。
【００６４】
アクチュエータ８０Ｅのクリックロック用凹部１５１が実装補強金具１７０のフック部１７２又は実装補強金具１８０の半球凸部１８１とクリック的に係合する。また、アクチュエータ８０Ｅ１のクリックロック用爪部１６１が実装補強金具１９０の半球凹部１９１、実装補強金具１７０のフック部１７２又は実装補強金具１８０の半球凸部１８１とクリック的に係合する。
【００６５】
【発明の効果】
上述の如く、本発明によれば、コンタクト部材が組み込んであるハウジング内にアクチュエータの上面の操作部を操作されて摺動操作されて、フレキシブルプリント配線板を挟んで接続するフレキシブルプリント配線板用コネクタ装置であって、アクチュエータの操作部がハウジングの上面の開口を塞ぐ構成としたものであるため、アクチュエータの上面が操作部である構成によって、コネクタ装置が小型であるにも拘わらずに操作部が広くなって、指先をしっかりと当てることが出来、よって、操作性の向上を図ることが出来る。また、アクチュエータの上面が操作部である構成によって、プリント基板に実装して使用したときにコネクタ装置の横側に操作のために必要な空間をあける必要がなく、よって、電子部品をコネクタ装置に近づけて実装することが出来る。また、フレキシブルプリント配線板が接続された状態においてアクチュエータの操作部がハウジングの上面の開口を塞いでハウジングの上板部を形成しているため、ハウジングの上板部の上側にアクチュエータの操作部が重なっている構成に比較して、コネクタ装置の低背化を実現出来る。
【図面の簡単な説明】
【図１】従来のフレキシブルプリント配線板用コネクタ装置を示す図である。
【図２】本発明の第１実施例のフレキシブルプリント配線板用コネクタ装置を示す斜視図である。
【図３】図２中、ＩＩＩ−ＩＩＩ線に沿う断面図である。
【図４】アクチュエータの脱落を防止する機構を拡大して示す図である。
【図５】フレキシブルプリント配線板を接続するときの状態を示す斜視図である。
【図６】図５（Ａ），（Ｂ），（Ｃ）に示す状態のコネクタ装置の断面図である。
【図７】本発明の第２実施例のフレキシブルプリント配線板用コネクタ装置の斜視図である。
【図８】図７のコネクタ装置を分解して示す図である。
【図９】フレキシブルプリント配線板を接続するときの状態を示す図である。
【図１０】本発明の第３実施例のフレキシブルプリント配線板用コネクタ装置を分解して示す図である。
【図１１】フレキシブルプリント配線板を接続するときの状態を示す図である。
【図１２】本発明の第４実施例のフレキシブルプリント配線板用コネクタ装置を分解して示す図である。
【図１３】フレキシブルプリント配線板を接続するときの状態を示す図である。
【図１４】本発明の第５実施例のフレキシブルプリント配線板用コネクタ装置を分解して示す図である。
【図１５】アクチュエータを操作したときにクリック感を発生させる機構の別の例を示す図である。
【図１６】本発明の第６実施例のフレキシブルプリント配線板用コネクタ装置を分解して示す図である。
【図１７】フレキシブルプリント配線板を接続するときの状態を示す図である。
【図１８】アクチュエータを操作したときにクリック感を発生させる機構の別の例を示す図である。
【符号の説明】
４０　フレキシブルプリント配線板
５０、５０Ａ〜５０Ｅ　フレキシブルプリント配線板用コネクタ装置
５１　ハウジング
５７　開口
５９、６０　突起
７０　コンタクト部材
７１　上側腕部
７２　下側コンタクト腕部
８０　アクチュエータ
８１　操作部
８１ａ　凹凸面
８２　カム部
８３　スリット
８６　凹部
【図１】
2004039481.tif 000003
【図２】
2004039481.tif 000004
【図３】
2004039481.tif 000005
【図４】
2004039481.tif 000006
【図５】
2004039481.tif 000007
【図６】
2004039481.tif 000008
【図７】
2004039481.tif 000009
【図８】
2004039481.tif 000010
【図９】
2004039481.tif 000011
【図１０】
2004039481.tif 000012
【図１１】
2004039481.tif 000013
【図１２】
2004039481.tif 000014
【図１３】
2004039481.tif 000015
【図１４】
2004039481.tif 000016
【図１５】
2004039481.tif 000017
【図１６】
2004039481.tif 000018
【図１７】
2004039481.tif 000019
【図１８】
2004039481.tif 000020